(57)【要約】【課題】立ち入り禁止の領域に侵入した面会者を追跡することができる面会者の監視システムを提供する。【解決手段】セキュリティレベルが設定された状態で監視区域の各領域に配置された複数のタグリーダと、セキュリティレベルが設定された面会者用タグと、面会者用タグを検出しているタグリーダのセキュリティレベルが面会者用タグのセキュリティレベルよりも高い場合に、面会者用タグが立ち入り禁止の領域へ侵入したと判定し、当該判定後、面会者用タグを検出しているタグリーダの位置に基づいて、面会者用タグの位置を追跡する監視装置と、を備えた。【選択図】図１
2013097488.tif 000002
【特許請求の範囲】
【請求項１】
セキュリティレベルが設定された状態で監視区域の各領域に配置された複数のタグリーダと、
セキュリティレベルが設定された面会者用タグと、
前記面会者用タグを検出しているタグリーダのセキュリティレベルが前記面会者用タグのセキュリティレベルよりも高い場合に、前記面会者用タグが立ち入り禁止の領域へ侵入したと判定し、当該判定後、前記面会者用タグを検出しているタグリーダの位置に基づいて、前記面会者用タグの位置を追跡する監視装置と、
を備えたことを特徴とする面会者の監視システム。
【請求項２】
セキュリティレベルが設定された被面会者用タグ、
を備え、
前記監視装置は、前記面会者用タグを検出しているタグリーダのセキュリティレベルが前記被面会者用タグのセキュリティレベル以下のときに、前記面会者用タグを検出しているタグリーダと前記被面会者用タグを検出しているタグリーダとの距離が所定の範囲内の場合は、前記面会者用タグが立ち入り禁止の領域へ侵入したとは判定しないことを特徴とする請求項１記載の面会者の監視システム。
【請求項３】
前記監視装置は、前記被面会者用タグを検出しているタグリーダのセキュリティレベルが前記被面会者用タグのセキュリティレベルよりも高い場合に、と前記被面会者用タグと前記面会者用タグとが立ち入り禁止の領域へ侵入したと判定することを特徴とする請求項２記載の面会者の監視システム。
【発明の詳細な説明】
【技術分野】
【０００１】
この発明は、面会者の監視システムに関するものである。
【背景技術】
【０００２】
面会者の監視システムとして、面会者が立ち入り禁止の領域に侵入したことを検出するものが提案されている。当該監視システムは、所定時間が経過しても面会者の移動端末と被面会者の移動端末が同一の領域にない場合に警報を発する（例えば、特許文献１参照）。
【０００３】
しかしながら、当該監視システムにおいては、所定時間が経過する前に面会者が立ち入り禁止の領域に入っても警報を発しない。
【０００４】
これに対し、携帯送信機の信号が受信できなくなった際に警報を発する監視システムが提案されている。当該監視システムを面会者の監視システムに適用すれば、所定時間が経過する前に面会者が立ち入り禁止の領域に侵入した場合であっても警報を発することができる。
【先行技術文献】
【特許文献】
【０００５】
【特許文献１】特開平８−３０５９８７号公報
【特許文献２】特開平１０−１４３７８８号公報
【発明の概要】
【発明が解決しようとする課題】
【０００６】
しかしながら、当該監視システムにおいては、警報を発した後の面会者の行動を追跡することができない。
【０００７】
この発明は、上述の課題を解決するためになされたもので、その目的は、立ち入り禁止の領域に侵入した面会者を追跡することができる面会者の監視システムを提供することである。
【課題を解決するための手段】
【０００８】
この発明に係る面会者の監視システムは、セキュリティレベルが設定された状態で監視区域の各領域に配置された複数のタグリーダと、セキュリティレベルが設定された面会者用タグと、前記面会者用タグを検出しているタグリーダのセキュリティレベルが前記面会者用タグのセキュリティレベルよりも高い場合に、前記面会者用タグが立ち入り禁止の領域へ侵入したと判定し、当該判定後、前記面会者用タグを検出しているタグリーダの位置に基づいて、前記面会者用タグの位置を追跡する監視装置と、を備えたものである。
【発明の効果】
【０００９】
この発明によれば、立ち入り禁止の領域に侵入した面会者を追跡することができる。
【図面の簡単な説明】
【００１０】
【図１】この発明の実施の形態１における面会者の監視システムの構成図である。
【図２】この発明の実施の形態１における面会者の監視システムのセキュリティレベルを説明するための図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における面会者の監視システムの構成図である。
【００１３】
図１において、１は工場等の監視区域の受付である。受付１は、監視区域の入口近傍に設けられる。受付１の前方には、通路２が設けられる。通路２は、水平投影面上において直線状に形成される。通路２は、監視区域の各領域に繋がるように形成される。
【００１４】
通路２の一側には、監視領域として、第１居室３が設けられる。例えば、第１居室３は、面会場所等からなる。第１居室３は、水平投影面上において略正方形状に形成される。通路２と第１居室３との間には、扉４が設けられる。
【００１５】
通路２の他側には、監視領域として、第２居室５が設けられる。例えば、第２居室５は、設計室等からなる。第２居室５は、水平投影面状において略正方形状に形成される。通路２と第２居室５との間には、扉６が設けられる。
【００１６】
通路２、第１居室３、第２居室５には、複数のタグリーダ７が配置される。これらのタグリーダ７は、ＬＥＤやブザー等の報知装置（図示せず）を備える。これらのタグリーダ７は、所定の検出領域を有する。これらのタグリーダ７は、水平投影面状において略格子状に配置される。この際、隣接したタグリーダ７は、互いの検出領域が接するように配置される。
【００１７】
具体的には、通路２においては、タグリーダ７が直線状に並んで配置される。第１居室３の一側においては、２個のタグリーダ７が第１居室３の奥行方向に並んで配置される。第１居室３の他側においては、２個のタグリーダ７が第１居室３の奥行方向に並んで配置される。第２居室５の一側においては、２個のタグリーダ７が第２居室５の奥行方向に並んで配置される。第２居室５の他側においては、２個のタグリーダ７が第２居室５の奥行方向に並んで配置される。
【００１８】
通路２、第１居室３、第２居室５には、当該領域の重要度に応じてセキュリティレベルが設定される。各タグリーダ７には、設置位置のセキュリティレベルと同様のセキュリティレベルが設定される。
【００１９】
図１においては、通路２のタグリーダ７のセキュリティレベルは、第１レベルに設定される。第１居室３のタグリーダ７のセキュリティレベルは、第１レベルに設定される。第２居室５のタグリーダ７のセキュリティレベルは、第２レベルに設定される。
【００２０】
８は被面会者用タグである。被面会者用タグ８は、無線タグからなる。被面会者用タグ８には、被面会者の行動範囲に合致した適切なセキュリティレベルが設定される。９は面会者用タグである。面会者用タグ９は、無線タグからなる。面会者用タグ９には、面会者の移動制限に合致した適切なセキュリティレベルが設定される。
【００２１】
１０は監視装置である。監視装置１０は、例えば、監視区域の監視室（図示せず）等に設けられる。監視装置１０は、配線（図示せず）を介して各タグリーダ７に接続される。
【００２２】
次に、図２を用いて、セキュリティレベルを説明する。
図２はこの発明の実施の形態１における面会者の監視システムのセキュリティレベルを説明するための図である。
【００２３】
図２に示すように、セキュリティレベルは、数字が大きくなるにつれて高くなる。この際、高いセキュリティレベルは、低いセキュリティレベルを包含する。すなわち、第２レベルは、第１レベルを包含する。第３レベルは、第１レベルと第２レベルとを包含する。なお、第４レベルのように、低いセキュリティレベルを含まない独立したセキュリティレベルが設定される場合もある。
【００２４】
次に、図１を用いて、面会者を監視する方法を説明する。
【００２５】
被面会者には、被面会者用タグ８が予め配布される。図１においては、被面会者用タグ８には、第２レベルが設定されている。面会者は、受付１で被面会者を指定して面会者用タグ９を受け取る。図１においては、面会者用タグ９には、第１レベルが設定されている。面会者用タグ９には、面会者が面会する被面会者の被面会者用タグ８が対応付けられる。
【００２６】
被面会者用タグ８と面会者用タグ９とは、タグリーダ７の検出範囲内に配置されると、一定時間毎にＩＤ情報を送信する。当該ＩＤ情報は、当該タグリーダ７に読み取られる。監視装置１０は、ＩＤ情報を読み取っているタグリーダ７の設置位置を被面会者用タグ８や面会者用タグ９位置として判定する。
【００２７】
監視装置１０は、面会者用タグ９からＩＤ情報を読み取っているタグリーダ７のセキュリティレベルと面会者用タグ９のセキュリティレベルとを比較する。
【００２８】
面会者用タグ９からＩＤ情報を読み取っているタグリーダ７のセキュリティレベルが面会者用タグ９のセキュリティレベル以下の場合、監視装置１０は、面会者用タグ９が立ち入り禁止の領域に侵入したとは判定しない。すなわち、面会者は通路２や第１居室３へ入ることができる。
【００２９】
これに対し、面会者用タグ９がどのタグリーダ７にも検出されない場合、監視装置１０は、面会者用タグ９が立ち入り禁止の領域に侵入したと判定する。この場合、監視装置１０は、全てのタグリーダ７のＬＥＤ点灯やブザー鳴動等を用いて警報を発する。すなわち、面会者が通路２を通り抜けた場合や面会者用タグ９を破壊した場合、監視装置１０は、警報を発する。
【００３０】
面会者用タグ９からＩＤ情報を読み取っているタグリーダ７のセキュリティレベルが面会者用タグ９のセキュリティレベルよりも高い場合、監視装置１０は、面会者用タグ９が立ち入り禁止の領域に侵入したと判定する。この場合、例えば、監視装置１０は、面会者用タグ９が検出された領域内のタグリーダ７のＬＥＤ点灯やブザー鳴動等を用いて警報を発する。すなわち、例えば、面会者が被面会者以外の者に追従して第２居室５に侵入した場合、監視装置１０は、警報を発する。このとき、当該領域内の者全員で面会者を監視する。その結果、面会者の不審な行動が抑止される。
【００３１】
この場合、監視装置１０は、第２居室５内において面会者用タグ９からＩＤ情報を検出しているタグリーダ７の位置に基づいて、面会者用タグ９の位置を追跡する。すなわち、面会者が被面会者以外の者に追従して第２居室５に侵入した後も、面会者の位置は追跡される。
【００３２】
ただし、第２居室５において、面会者用タグ９を検出しているタグリーダ７と被面会者用タグ８を検出しているタグリーダ７とが同一の場合、監視装置１０は、面会者が立ち入り禁止の領域に侵入したとは判定しない。また、面会者用タグ９を検出しているタグリーダ７と被面会者用タグ８を検出しているタグリーダ７との距離が所定の範囲内の場合、監視装置１０は、面会者が立ち入り禁止の領域に侵入したとは判定しない。これらの場合、監視装置１０は、警報を発しない。すなわち、技術者等の面会者が設計室等の機密情報のある第２居室５に入る必要がある場合は、被面会者が第１レベルの通路２や第１居室３まで面会者を迎えに行けばよい。その後、被面会者と面会者とが一緒に移動すれば、監視装置１０が警報を発することはない。
【００３３】
このとき、面会者用タグ９を検出しているタグリーダ７と被面会者用タグ８を検出しているタグリーダ７との距離が所定の範囲外になると、監視装置１０は、面会者が立ち入り禁止の領域に侵入したと判定する。この場合、監視装置１０は、一定時間経過後に警報を発する。ただし、一定時間が経過する前に、面会者用タグ９を検出しているタグリーダ７と被面会者用タグ８を検出しているタグリーダ７との距離が所定の範囲内に戻れば、監視装置１０は、警報を発しない。
【００３４】
なお、被面会者と面会者とが一緒に移動する場合であっても、被面会者用タグ８を検出しているタグリーダ７のセキュリティレベルが被面会者用タグ８のセキュリティレベルよりも高い場合は、監視装置１０は、被面会者用タグ８と面会者用タグ９とが立ち入り禁止の領域に侵入したと判定する。この場合、監視装置１０は、警報を発する。すなわち、例えば、被面会者と面会者とが第３レベル（図１においては図示せず）の領域に入った場合は、監視装置１０は、警報を発する。
【００３５】
以上で説明した実施の形態１によれば、面会者用タグ９を検出しているタグリーダ７のセキュリティレベルが面会者用タグ９のセキュリティレベルよりも高い場合に、面会者用タグ９が立ち入り禁止の領域へ侵入したと判定される。その後、面会者用タグ９を検出しているタグリーダ７の位置に基づいて、面会者用タグ９の位置が追跡される。このため、一定時間が経過しなくても、面会者が立ち入り禁止の領域に侵入したことを検出できる。その後、立ち入り禁止の領域に侵入した面会者を追跡することができる。
【００３６】
また、面会者用タグ９を検出しているタグリーダ７のセキュリティレベルが被面会者用タグ８のセキュリティレベル以下のときに、面会者用タグ９を検出しているタグリーダ７と被面会者用タグ８を検出しているタグリーダ７との距離が所定の範囲内の場合は、面会者用タグ９が立ち入り禁止の領域へ侵入したとは判定されない。このため、面会者用タグ９のセキュリティレベル以上のセキュリティレベルの領域においては、面会者は被面会者と一緒にいる場合のみ許される。この場合、面会者の行動は、被面会者に監視される。従って、セキュリティレベルの高い領域のセキュリティを維持しつつ、面会者が当該領域に入ることを許可する利便性を上げることができる。
【００３７】
また、面会者用タグ９を検出しているタグリーダ７と被面会者用タグ８を検出しているタグリーダ７との距離が所定の範囲内のときでも、被面会者用タグ８を検出しているタグリーダ７のセキュリティレベルが被面会者用タグ８のセキュリティレベルよりも高い場合は、被面会者用タグ８と面会者用タグ９とが立ち入り禁止の領域へ侵入したと判定される。このため、被面会者さえアクセスできない機密情報の漏洩を防止することができる。
【００３８】
なお、警報を発するタイミングは適宜設定される。例えば、立ち入り禁止の領域への侵入の検出直後に警報を発してもよい。また、立ち入り禁止の領域への侵入を検出してから所定時間経過後に警報を発してもよい。
【符号の説明】
【００３９】
１  受付
２  通路
３  第１居室
４  扉
５  第２居室
６  扉
７  タグリーダ
８  被面会者用タグ
９  面会者用タグ
１０  監視装置
【図１】
2013097488.tif 000003
【図２】
2013097488.tif 000004